(57)【要約】【課題】とくに液状薬を収容した液体用容器にＲＦＩＤタグを取り付けても、液体用容器内の液体からＲＦＩＤタグを離すとともに、リーダーライターにおけるアンテナとの相対的な姿勢を適正とし、データ交信に影響を及ぼすことなく商品管理システムを運用するＲＦＩＤタグ保持具を提供すること。【解決手段】回動軸部２２の両側に取付け用係合部２１およびＲＦＩＤタグ保持片２３を設けることに着目したもので、液体用容器の首部に取り付け可能な取付け用係合部２１と、取付け用係合部２１の基部２１Ａに位置しているとともに取付け用係合部２１を首部に取り付け可能な閉鎖方向に付勢する付勢部材２６を備えた回動軸部２２と、回動軸部２２に対して取付け用係合部２１とは反対側に位置し、取付け用係合部２１を首部に対して開閉操作可能に形成しているとともに、ＲＦＩＤタグを取り付け可能なＲＦＩＤタグ保持片２３と、を有することを特徴とする。【選択図】図１
2010176474.tif 000002
【特許請求の範囲】
【請求項１】
ＩＣチップおよびアンテナを有し、無線によるデータ交信が可能なＲＦＩＤタグを保持するとともに液体用容器に取り付け、この液体用容器に収容した液体に関する情報の前記データ交信を可能とするＲＦＩＤタグ保持具であって、
前記液体用容器の首部に取り付け可能な取付け用係合部と、
この取付け用係合部の基部に位置しているとともに、この取付け用係合部を前記首部に取り付け可能な閉鎖方向に付勢する付勢部材を備えた回動軸部と、
この回動軸部に対して前記取付け用係合部とは反対側に位置し、これを操作することにより前記取付け用係合部を前記首部に対して開閉操作可能に形成しているとともに、前記ＲＦＩＤタグを取り付け可能なＲＦＩＤタグ保持片と、
を有することを特徴とするＲＦＩＤタグ保持具。
【請求項２】
前記ＲＦＩＤタグ保持片は、前記液体用容器から前記ＲＦＩＤタグを所定間隔だけ離間させるだけの長さを有することを特徴とする請求項１記載のＲＦＩＤタグ保持具。
【請求項３】
前記ＲＦＩＤタグ保持片は、前記取付け用係合部に対する姿勢を調整することにより、前記液体に関する管理システムにおけるリーダーライターアンテナを備えた読取り台に対する姿勢を調整可能であることを特徴とする請求項１記載のＲＦＩＤタグ保持具。
【発明の詳細な説明】
【技術分野】
【０００１】
本発明はＲＦＩＤタグ保持具にかかるもので、とくに液状薬剤その他液体を収容した液体用容器にＲＦＩＤタグを取り付けて保持するためのＲＦＩＤタグ保持具に関するものである。
【背景技術】
【０００２】
従来から、たとえば医療業界では、使用する各種薬剤について、その薬剤用容器に商品コード、使用有効期限やロット番号など各種の情報を表示したバーコードを用いて、薬剤管理システムを運用している。
【０００３】
たとえば、図６は、従来からの液体薬剤の薬剤用容器（液体用容器）の例を示す断面説明図であって、図６（１）は、アンプル１の断面図、図６（２）は、バイアル２の断面図である。
アンプル１は、容器本体３と、首部４と、蓋部５と、を有し、容器本体３内部に液体薬剤を収容可能とし、首部４を切断することにより液体薬剤を取り出し可能としている。
バイアル２は、容器本体６と、首部７と、蓋部８と、を有し、容器本体６内部に液体薬剤を収容可能とし、蓋部８には、栓９およびキャップ１０を設け、栓９に注射針を刺して内部の液剤を取り出し可能としている。
なお図６（２）に示すように、首部７は、実線で示す円柱形状以外に、仮想線で示す円錐形状を呈する場合もある。
【０００４】
つぎに図７は、薬剤の梱包容器１１の斜視図であって、梱包容器１１にアンプル１あるいはバイアル２の複数個を収容するとともに、その外壁面にバーコードラベル１２を貼り付けている。
図７に示すように、従来からのバーコード（バーコードラベル１２）を用いた薬剤管理システムでは、梱包容器１１にバーコードラベル１２を貼り付けて表示しているだけで、バーコードにより表示可能な情報量に限りがあるため個々の薬剤にバーコードなどが付与されるまでには到っていないという問題がある。
すなわち、病院などでは製造元ないし卸元から送られてきた梱包容器１１を解いたのちに、個々の薬剤すなわち液体用容器（アンプル１、バイアル２）について手入力で必要なデータを入力しているのが現状である。
したがって、データ入力の手間はもちろん、入力ミスなどが発生しかねないという問題がある（特許文献１を参照）。
【０００５】
一方、図８は、ＲＦＩＤ（Ｒａｄｉｏ  Ｆｒｅｑｕｅｎｃｙ  Ｉｄｅｎｔｉｆｉｃａｔｉｏｎ）タグ１３の平面説明図であって、フィルム基材１４にＩＣチップ１５およびアンテナ１６を設けて、無線によるデータ交信が可能としているとともに、バーコードより保存情報量が多いという利点があるため、個々の液体用容器（アンプル１、バイアル２）にこれを取り付けて薬剤管理に用いることが望まれる。
しかしながら、ＲＦＩＤタグ１３は、水分その他の液体の近傍では交信用の電磁波が吸収されるなどの現象により、管理システムにおけるリーダーライター（図示せず）のアンテナとの間のデータ交信に支障が生じかねないという問題がある。
さらに、当該データ交信の効率が、このアンテナとＲＦＩＤタグ１３の姿勢との間の相対位置関係に左右されるという問題がある。
すなわち、とくに液状薬剤その他液体を収容した液体ないし商品用容器（アンプル１、バイアル２）のそれぞれにＲＦＩＤタグ１３を取り付けてデータ交信を行うことにより商品管理システムを効率的かつ安定して運用することが困難であるという問題がある。
【先行技術文献】
【特許文献】
【０００６】
【特許文献１】特開２００３−６７４９０号公報
【発明の概要】
【発明が解決しようとする課題】
【０００７】
本発明は以上のような諸問題にかんがみなされたもので、とくに液状薬剤その他液体を収容した液体用容器にＲＦＩＤタグを取り付けて保持可能とするＲＦＩＤタグ保持具を提供することを課題とする。
【０００８】
また本発明は、液体用容器にＲＦＩＤタグを取り付けても、データ交信に影響を及ぼすことなく商品管理システムを運用可能とするＲＦＩＤタグ保持具を提供することを課題とする。
【０００９】
また本発明は、液体用容器にＲＦＩＤタグを取り付けて、リーダーライターにおけるアンテナとの相対的な姿勢を適正なものとすることができるＲＦＩＤタグ保持具を提供することを課題とする。
【００１０】
また本発明は、液体用容器内の液体からＲＦＩＤタグを離した状態でこれを保持可能なＲＦＩＤタグ保持具を提供することを課題とする。
【課題を解決するための手段】
【００１１】
すなわち本発明は、回動軸部の両側に取付け用係合部およびＲＦＩＤタグ保持片を設けるとともに、このＲＦＩＤタグ保持片の操作により、この取付け用係合部の開閉操作を可能とすることに着目したもので、ＩＣチップおよびアンテナを有し、無線によるデータ交信が可能なＲＦＩＤタグを保持するとともに液体用容器に取り付け、この液体用容器に収容した液体に関する情報の上記データ交信を可能とするＲＦＩＤタグ保持具であって、上記液体用容器の首部に取り付け可能な取付け用係合部と、この取付け用係合部の基部に位置しているとともに、この取付け用係合部を上記首部に取り付け可能な閉鎖方向に付勢する付勢部材を備えた回動軸部と、この回動軸部に対して上記取付け用係合部とは反対側に位置し、これを操作することにより上記取付け用係合部を上記首部に対して開閉操作可能に形成しているとともに、上記ＲＦＩＤタグを取り付け可能なＲＦＩＤタグ保持片と、を有することを特徴とするＲＦＩＤタグ保持具である。
【００１２】
上記ＲＦＩＤタグ保持片は、上記液体用容器から上記ＲＦＩＤタグを所定間隔だけ離間させるだけの長さを有することができる。
【００１３】
上記ＲＦＩＤタグ保持片は、上記取付け用係合部に対する姿勢を調整することにより、上記液体に関する管理システムにおけるリーダーライターアンテナを備えた読取り台に対する姿勢を、たとえば上記ＲＦＩＤタグの平行度を維持するように調整可能であることができる。
【発明の効果】
【００１４】
本発明によるＲＦＩＤタグ保持具においては、取付け用係合部と、付勢部材を備えた回動軸部と、ＲＦＩＤタグ保持片と、を、いわゆる洗濯ハサミのように組み合わせたので、ＲＦＩＤタグ保持具を液体用容器の首部に対して簡単に脱着可能であり、液体用容器内の液体からＲＦＩＤタグを必要な距離だけ離すとともに、リーダーライターのアンテナとの相対的な姿勢を適正に維持して、データ交信を安定して確実に実行可能である。
【図面の簡単な説明】
【００１５】
【図１】本発明の第１の実施例によるＲＦＩＤタグ保持具２０の平面図である。
【図２】同、バイアル２にＲＦＩＤタグ保持具２０を取り付けた状態を説明するための側面図である。
【図３】同、薬剤管理システム２８における読取り台２９上に、それぞれＲＦＩＤタグ保持具２０付きの複数個のバイアル２を載置した状態を示す側面図である。
【図４】本発明の第２の実施例によるＲＦＩＤタグ保持具４０の平面図である。
【図５】同、バイアル２にＲＦＩＤタグ保持具４０を取り付けた状態を説明するための側面図である。
【図６】従来からの液体薬剤の薬剤用容器（液体用容器）の例を示す断面説明図であって、図６（１）は、アンプル１の断面図、図６（２）は、バイアル２の断面図である。
【図７】同、薬剤の梱包容器１１の斜視図である。
【図８】同、ＲＦＩＤタグ１３の平面説明図である。
【発明を実施するための形態】
【００１６】
本発明は、取付け用係合部、回動軸部およびＲＦＩＤタグ保持片を設けて液体用容器の首部に取り付け可能とするようにしたので、個々の液体用容器にＲＦＩＤタグを簡単かつ確実に取り付け、液状商品管理システムとの適正かつ安定したデータ交信を可能とするＲＦＩＤタグ保持具を実現した。
【実施例】
【００１７】
つぎに本発明の第１の実施例によるＲＦＩＤタグ保持具２０を図１ないし図３にもとづき説明する。ただし、図６ないし図８と同様の部分には同一符号を付し、その詳述はこれを省略する。
図１は、ＲＦＩＤタグ保持具２０の平面図であって、ＲＦＩＤタグ保持具２０は、前記ＲＦＩＤタグ１３（図８）を前記液体用容器（アンプル１、バイアル２、図６）に取り付けて保持し、この液体用容器１、２に収容した液体に関する情報のデータ交信を可能とするものであって、取付け用係合部２１と、回動軸部２２と、ＲＦＩＤタグ保持片２３と、を有する。
液体用容器として、図６（２）に示したバイアル２の場合を例にとって以下説明する。
【００１８】
取付け用係合部２１は、バイアル２の首部７に取り付け可能であって、図示の例では、左右一対の半円弧状取付けレバー２４からこれを構成し、その基部２１Ａに回動軸部２２を設け、その左右一対の自由端部２１Ｂを互いに対向させ、ほぼ円形状にこれを形成している。
【００１９】
回動軸部２２は、取付け用係合部２１の基部２１Ａに位置しているとともに、軸ピン２５と、巻バネ２６（付勢部材）と、を有し、軸ピン２５が取付け用係合部２１およびＲＦＩＤタグ保持片２３を一体化しているとともに、巻バネ２６が取付け用係合部２１を首部７に取り付け可能な閉鎖方向に付勢する。
【００２０】
ＲＦＩＤタグ保持片２３は、左右一対の操作レバー２７からこれを構成し、いずれかの左右一対の操作レバー２７の側面にＲＦＩＤタグ１３を取り付け可能であって、回動軸部２２に対して取付け用係合部２１とは反対側に位置してこれを操作することにより、取付け用係合部２１を首部７に対して開閉操作可能に形成している。
ＲＦＩＤタグ保持片２３（左右一対の操作レバー２７）は、バイアル２からＲＦＩＤタグ１３を所定間隔だけ離間させるだけの長さを有する。
【００２１】
こうした構成のＲＦＩＤタグ保持具２０において、ＲＦＩＤタグ保持具２０の取付け用係合部２１をバイアル２の首部７に巻き掛けるように係合して取り付けることができる。
すなわち、図２は、バイアル２にＲＦＩＤタグ保持具２０を取り付けた状態を説明するための側面図であって、ＲＦＩＤタグ保持片２３を指で摘んで押圧するように操作すれば、巻バネ２６の付勢力に抗して取付け用係合部２１を開放状態とすることができる。
したがって、取付け用係合部２１の自由端部２１Ｂを離反させ、取付け用係合部２１がバイアル２の首部７に挟み込むようにした状態でＲＦＩＤタグ保持片２３を離せば、ＲＦＩＤタグ保持片２３上のＲＦＩＤタグ１３がバイアル２内の液体薬剤から所定間隔だけ離れた位置に取り付けることができる。
【００２２】
さらに図３は、薬剤管理システム２８における読取り台２９上に、それぞれＲＦＩＤタグ保持具２０付きの複数個のバイアル２を載置した状態を示す側面図であって、ＲＦＩＤタグ保持具２０上のＲＦＩＤタグ１３がバイアル２（容器本体６）内の液状薬剤から所定間隔だけ離れているので、読取り台２９に設けたリーダーライターアンテナ３０との間でＲＦＩＤタグ１３が確実にデータ交信を行うことができる。
またＲＦＩＤタグ保持片２３は、取付け用係合部２１に対する姿勢を傾斜あるいは捻らせるように調整することにより、読取り台２９に対する姿勢を、たとえばＲＦＩＤタグ１３の平行度を維持するように調整可能である。あるいは、図３中仮想線で示すように、リーダーライターアンテナ３０をバイアル２の側面において垂直に配置し、ＲＦＩＤタグ１３との平行度を維持することもできる。
かくして、各種の液体用容器（アンプル１、バイアル２）にＲＦＩＤタグ保持具２０を取り付ける際に、一定角度や間隔を持って、さらにリーダーライターアンテナ３０とＲＦＩＤタグ１３との平行度などの姿勢を保持可能であるとともに、その内部に液体が含まれていてもＲＦＩＤタグ１３の通信性能を損なうことがない。
【００２３】
なお本発明においては、取付け用係合部２１の形状は任意である。
すなわち、図４は、本発明の第２の実施例によるＲＦＩＤタグ保持具４０の平面図であって、ＲＦＩＤタグ保持具４０は、取付け用係合部４１と、回動軸部４２と、ＲＦＩＤタグ保持片４３と、を有する。
液体用容器として、図６（１）に示したアンプル１の場合を例にとって以下説明する。
【００２４】
取付け用係合部４１は、アンプル１の首部４に取り付け可能であって、図示の例では、左右の弧状取付けレバー４４（ただし、上下で交差した三本のレバー）からこれを構成し、その基部４１Ａに回動軸部４２を設け、その自由端部４１Ｂを互いに交差させている。
【００２５】
回動軸部４２は、取付け用係合部４１の基部４１Ａに位置しているとともに、軸ピン４５と、巻バネ４６（付勢部材）と、を有し、軸ピン４５が取付け用係合部４１および回動軸部４２を一体化しているとともに、巻バネ４６が取付け用係合部４１を首部４に取り付け可能な閉鎖方向に付勢する。
【００２６】
ＲＦＩＤタグ保持片４３は、左右一対の操作レバー４７からこれを構成し、左右一対の操作レバー４７のいずれかの側面にＲＦＩＤタグ１３を取り付け可能であって、回動軸部４２に対して取付け用係合部４１とは反対側に位置してこれを操作することにより、取付け用係合部４１を首部４に対して開閉操作可能に形成している。
ＲＦＩＤタグ保持片４３（左右一対の操作レバー４７）は、アンプル１からＲＦＩＤタグ１３を所定間隔だけ離間させるだけの長さを有する。
【００２７】
こうした構成のＲＦＩＤタグ保持具４０において、ＲＦＩＤタグ保持具４０の取付け用係合部４１をアンプル１の首部４に巻き掛けるように係合して取り付けることができる。
すなわち、図５は、アンプル１にＲＦＩＤタグ保持具４０を取り付けた状態を説明するための側面図であって、ＲＦＩＤタグ保持片４３を指で摘んで押圧するように操作すれば、巻バネ４６の付勢力に抗して取付け用係合部４１を開放状態とすることができる。
したがって、取付け用係合部４１の自由端部４１Ｂを離反させ、取付け用係合部４１がアンプル１の首部４に挟み込むようにした状態でＲＦＩＤタグ保持片４３を離せば、ＲＦＩＤタグ保持片４３上のＲＦＩＤタグ１３がアンプル１内の液体薬剤から所定間隔だけ離れた位置に取り付けることができる。
【００２８】
かくして、本発明においては、ＲＦＩＤタグ１３をアンプル１（液体用容器）の液体および薬剤管理システム２８のリーダーライターアンテナ３０に対して適正な位置および姿勢に配置することができるが、取付け用係合部４１やＲＦＩＤタグ保持片４３の形状や各寸法などは、アンプル１の首部４などの形状および大きさに応じて任意に選択可能であり、ＲＦＩＤタグ１３がアンプル１内の液体から離間可能であるように調整することができる。
【符号の説明】
【００２９】
１  アンプル（液体用容器、図６）
２  バイアル（液体用容器、図６）
３  容器本体
４  首部
５  蓋部
６  容器本体
７  首部
８  蓋部
９  栓
１０  キャップ
１１  梱包容器（図７）
１２  バーコードラベル
１３  ＲＦＩＤタグ（図８、図１）
１４  フィルム基材
１５  ＩＣチップ
１６  アンテナ
２０  ＲＦＩＤタグ保持具（第１の実施例、図１）
２１  取付け用係合部
２１Ａ  取付け用係合部２１の基部
２１Ｂ  取付け用係合部２１の自由端部
２２  回動軸部
２３  ＲＦＩＤタグ保持片
２４  左右一対の半円弧状取付けレバー
２５  軸ピン
２６  巻バネ（付勢部材）
２７  左右一対の操作レバー
２８  薬剤管理システム（図３）
２９  読取り台
３０  リーダーライターアンテナ
４０  ＲＦＩＤタグ保持具（第２の実施例、図４）
４１  取付け用係合部
４１Ａ  取付け用係合部４１の基部
４１Ｂ  取付け用係合部４１の自由端部
４２  回動軸部
４３  ＲＦＩＤタグ保持片
４４  左右の弧状取付けレバー
４５  軸ピン
４６  巻バネ（付勢部材）
４７  左右一対の操作レバー
【図１】
2010176474.tif 000003
【図２】
2010176474.tif 000004
【図３】
2010176474.tif 000005
【図４】
2010176474.tif 000006
【図５】
2010176474.tif 000007
【図６】
2010176474.tif 000008
【図７】
2010176474.tif 000009
【図８】
2010176474.tif 000010